(57)【要約】計量器は、底部６を有するハウジング１を備えており、少なくとも１本のケーブル１４を介して表示及び操作ユニット１３と接続可能である。表示及び操作ユニット１３は、ハウジング１に取付けて設置することもでき、ハウジング１から離れた位置に設置することもできる。そのために、少なくとも１本のケーブル１４の全長のうちの余分な長さの部分を収納するためのケーブル取り回し室２４を、ハウジング１の底部６に設けた。ケーブル取り回し室２４は、ケーブル１４を引き出すための少なくとも１つの引出口２２、２９、３０を有しており、以上によって、ケーブル１４の引き出し及び押し込みを行う際に、ケーブル取り回し室２４内でケーブル１４が自由に移動できるようにした。表示及び操作ユニット１３は、連結用アタッチメント１０を介してハウジング１に取付可能としてあり、これによって、計量器と表示及び操作ユニット１３とが、載置面上に個別に載置された状態になるようにした。【選択図】図１
2004526158.tif 000002
【特許請求の範囲】
【請求項１】
底部（６）を有するハウジング（１）と、表示及び操作ユニット（１３）とを備えた計量器であって、前記表示及び操作ユニット（１３）は少なくとも１本のケーブル（１４）を介して該計量器に接続可能であり、前記表示及び操作ユニット（１３）は前記ハウジング（１）に取付けて設置することもでき、前記ハウジング（１）から離れた位置に設置することもできる計量器において、
前記少なくとも１本のケーブル（１４）の全長のうちの余分な長さの部分を収納するために、前記ハウジング（１）の前記底部（６）に、前記ケーブル（１４）を引き出すための少なくとも１つの引出口（２２、２９、３０）を有するケーブル取り回し室（２４）を設け、前記ケーブル（１４）の引き出し及び押し込みを行う際に、該ケーブル取り回し室（２４）内で前記ケーブル（１４）が自由に移動できるようにしたことを特徴とする計量器。
【請求項２】
前記ケーブル取り回し室（２４）が前記底部（６）に一体化して形成されていることを特徴とする請求項１記載の計量器。
【請求項３】
前記ケーブル取り回し室（２４）が、前記ケーブル（１４）を案内するための複数の案内部（２６、２７、２８）を備えていることを特徴とする請求項１又は２記載の計量器。
【請求項４】
前記複数の案内部（２６、２７、２８）が、例えば鉤形、Ｕ字形、又はＳ字形などの形状の、前記ケーブル取り回し室（２４）に一体化した複数の湾曲案内壁として形成されていることを特徴とする請求項３記載の計量器。
【請求項５】
前記ケーブル（１４）が、前記計量器の内部において、接続プラグ（２３）を介して計量用電子回路に接続可能であることを特徴とする請求項１乃至４の何れか１項記載の計量器。
【請求項６】
前記表示及び操作ユニット（１３）が、前記ハウジング（１）に取付可能であることを特徴とする請求項１乃至５の何れか１項記載の計量器。
【請求項７】
前記表示及び操作ユニット（１３）が、連結用アタッチメント（１０）を介して前記ハウジング（１）に取付可能であることを特徴とする請求項１乃至５の何れか１項記載の計量器。
【請求項８】
前記連結用アタッチメント（１０）が、前記ハウジング（１）または前記表示及び操作ユニット（１３）に、嵌挿ないし嵌合することによって取付可能なように構成されていることを特徴とする請求項７記載の計量器。
【請求項９】
前記連結用アタッチメント（１０）が、情報掲示部として利用することのできる板状部（２１）を備えていることを特徴とする請求項７又は８記載の計量器。
【請求項１０】
前記連結用アタッチメント（１０）に送受信ユニット（４３）を装備し、前記表示及び操作ユニット（１３）にも送受信ユニットを装備し、それら送受信ユニット間で電気信号の送受信を行うようにしたことを特徴とする請求項７又は８記載の計量器。
【請求項１１】
前記ケーブル取り回し室（２４）が、前記少なくとも１本のケーブル（１４）を引き出すための少なくとも１つの引出口（２２、２９、３０）を設けた面を、２面以上備えていることを特徴とする請求項１乃至１０の何れか１項記載の計量器。
【請求項１２】
前記ケーブル取り回し室（２４）が、２本以上のケーブル（１４）を、夫々に異なった引出口（２２、２９、３０）を介して、引き出し、また押し込むことができるように形成されていることを特徴とする請求項１乃至１１の何れか１項記載の計量器。
【請求項１３】
前記ケーブル取り回し室（２４）は、その下方が底板（３２）で閉塞されていることを特徴とする請求項１乃至１２の何れか１項記載の計量器。
【請求項１４】
前記少なくとも１本のケーブル（１４）が、前記表示及び操作ユニット（１３）と接続する側の端部に、接続プラグ（１５）を備えており、前記表示及び操作ユニット（１３）が、該接続プラグ（１５）に対応したソケットを備えていることを特徴とする請求項１乃至１３の何れか１項記載の計量器。
【請求項１５】
前記表示及び操作ユニット（１３）は、その傾斜角が調節可能であることを特徴とする請求項１乃至１４の何れか１項記載の計量器。
【請求項１６】
前記計量器に２台以上の表示及び操作ユニット（１３）を接続可能にしたことを特徴とする請求項１乃至１５の何れか１項記載の計量器。
【発明の詳細な説明】
【技術分野】
【０００１】
本発明は計量器に関し、この計量器は、下面が基礎部で閉塞されたハウジングを備えると共に、少なくとも１本のケーブルを介してこの計量器に接続することでハウジングの近くにも遠くにも設置できるようにした表示及び操作ユニットを備えるものである。
【背景技術】
【０００２】
計量器（計量器本体）と表示及び操作ユニットとを分離して別体にした計量器が広く用いられているが、この種の計量器が広く用いられているのは、設置形態に関する自由度が高いからである。例えば、個々の状況に応じて、表示及び操作ユニットを、計量器の近くに設置することもできれば、計量器から離して設置することもできる。そして、表示及び操作ユニットを計量器から離して設置する際には、多くの場合、計量器と表示及び操作ユニットとの間を、電気信号を伝送するためのケーブルを介して接続するようにしている。このケーブルの長さは、常時、必要以上の長さにはならないようにすることが望まれる。また、このケーブルは、多くの場合、計量器の基礎部に取外し不能に連結されており、必要に応じて、固定リールや、案内部を兼ねた固定溝部に巻き付けてあるものを、ほどいて繰り出したり、更に巻き付けたりするようにしており、そのためには、計量器をひっくり返す必要があったり、或いは、少なくとも、計量器を持ち上げる必要があった。
【０００３】
ドイツ特許公開第DE-A-31 01 224号公報に記載されている体重計では、表示及び操作ユニットを、例えば壁に掛けるなどして、体重計（体重計本体）から離れた位置に設置することができる。また、その表示及び操作ユニットは電池収容部を備えており、この電池収容部と、その表示及び操作ユニットのハウジングの外板との間に、空間が画成されており、体重計を使用しないときには、この空間に接続用のケーブルを収納するようにしている。
【０００４】
ドイツ特許公開第DE-A-198 58 625号公報に開示されている計量器では、表示及び操作コンソールが、計量器（計量器本体）から取外し可能に構成されている。更に、その表示及び操作コンソールは、計量器のハウジングに傾斜させて取付けることができ、その表示及び操作ユニットの底部には、ケーブルを巻回して収納するための収納空間が画成されており、その収納空間は下方が底板で閉塞されている。計量器と表示及び操作コンソールとの間の距離に応じてケーブルの長さを調節するには、表示及び操作コンソールを垂直に跳ね上げて底板を取外した上で、必要なだけの長さのケーブルを、ほどいて繰り出すか、或いは更に巻き付けるようにしている。
【特許文献１】
ドイツ特許公開第DE-A-31 01 224号公報
【特許文献２】
ドイツ特許公開第DE-A-198 58 625号公報
【発明の開示】
【発明が解決しようとする課題】
【０００５】
以上に説明した従来の計量器に付随する短所は、表示及び操作ユニットを設置する位置を変更する都度、それに応じて接続用のケーブルの長さを調節するために、何らかの面倒な操作を必要とすることにある。例えば、計量器を傾ける必要があったり、持ち上げる必要があったりするが、それらのことを行うと、計量器の安定性に悪影響が及ぶおそれがある。また例えば、ケーブル収納空間を閉塞している底板のネジを外した上で、必要な長さのケーブルを、ほどいて繰り出したり、更に巻き付けたりしなければならない。
【０００６】
従って本発明の目的は、計量器と表示及び操作ユニットとのどちらに対しても何ら面倒な操作を行わずに、表示及び操作ユニットの設置位置や姿勢を変更できるようにする機構を提供することにある。
【課題を解決するための手段】
【０００７】
上記目的は、本発明によれば、請求項１に記載した特徴を備えた計量器によって達成される。この計量器は、底部を有するハウジングを備え、少なくとも１本のケーブルを介して表示及び操作ユニットと接続可能である。前記表示及び操作ユニットは、前記ハウジングに取付けて設置することもでき、前記ハウジングから離れた位置に設置することもできる。そのために、前記少なくとも１本のケーブルの全長のうちの余分な長さの部分を収納するためのケーブル取り回し室を、前記ハウジングの前記底部に設けた。前記ケーブル取り回し室は、前記ケーブルを引き出すための少なくとも１つの引出口を有しており、以上によって、前記ケーブルの引き出し及び押し込みを行う際に、該ケーブル取り回し室内で前記ケーブルが自由に移動できるようにした。
【０００８】
本発明に係る計量器の大きな利点は、表示及び操作ユニットの設置位置を変更する際のケーブル長さ調節を片手で行うことができ、しかも、その表示及び操作ユニットを計量器のハウジングに近付けるときも、また、計量器のハウジングから遠ざけるときも、その操作を片手で行えることにある。その操作の際に、計量器を動かす必要は全くなく、そのため、計量器の安定性が損なわれることもない。そして、余分な長さのケーブルによって作業台上が占有されるという事態を招来することなく、表示及び操作ユニットと計量器のハウジングとの間の距離を、所望の距離に調節することができる。
【０００９】
例えば被計量物をこぼすなどして、作業台上を汚した場合にも、表示及び操作ユニットを片手で持ち上げて、その作業台上を容易にすみずみまで清掃することができる。また更なる利点として、表示及び操作ユニットを計量器のハウジングから分離することができるため、輸送に際してよりコンパクトに梱包できるということがある。
【００１０】
本発明の好適実施例においては、前記ケーブル取り回し室が、前記底部に一体化して形成されている。また、前記ケーブル取り回し室が、前記ケーブルを案内するための複数の案内部を備えているようにすることが好ましく、更に、それら複数の案内部が、例えば鉤形、Ｕ字形、又はＳ字形などの形状の、前記ケーブル取り回し室に一体化した複数の湾曲案内壁として形成されているようにするとよい。また、前記ケーブルが、前記計量器の内部において、接続プラグを介して計量用電子回路に接続されているようにすることが好ましい。
【００１１】
特に望ましい実施の形態としては、前記表示及び操作ユニットが、連結用アタッチメントを介して前記ハウジングに取付可能であるようにした実施の形態、それに、前記連結用アタッチメントが、前記ハウジングまたは前記表示及び操作ユニットに、嵌挿ないし嵌合することによって取付可能なように構成されている実施の形態がある。これらの実施の形態によれば、計量器を表示及び操作ユニットと共に持ち上げて作業台上の清掃を行うことができ、また、計量器と表示及び操作ユニットとをまとめて別の作業台上へ移動させることも容易である。
【００１２】
前記連結用アタッチメントが、情報掲示部として利用することのできる板状部を備えているようにしてもよい。また別法として、前記連結用アタッチメントに送受信ユニットを装備し、前記表示及び操作ユニットにも送受信ユニットを装備し、それら送受信ユニットの間で電気信号の送受信を行うようにしてもよい。このようにすることで、表示及び操作ユニットの取扱いに関する非常に大きなフレキシビリティが得られるため、例えば、計量器をグローブボックスの中などの保護された環境中に設置して、表示及び操作ユニットをその外に設置できるという利点が得られる。
【００１３】
また、更なる実施の形態として、前記ケーブル取り回し室が、前記少なくとも１本のケーブルを引き出すための少なくとも１つの引出口を設けた面を、２面以上備えているようにしてもよい。或いはまた、前記ケーブル取り回し室が、２本以上のケーブルを、夫々に異なった引出口を介して、引き出し、また押し込むことができるように形成されているようにしてもよい。前記ケーブル取り回し室は、その下方が底板で閉塞されている。
【００１４】
本発明の特に効果的な実施例の１つは、前記少なくとも１本のケーブルが、前記表示及び操作ユニットと接続する側の端部に、接続プラグを備えており、前記表示及び操作ユニットが、該接続プラグに対応したソケットを備えており、前記表示及び操作ユニットは、その傾斜角が調節可能であるというものである。更に、前記計量器に２台以上の表示及び操作ユニットを接続するようにしてもよい。
【発明を実施するための最良の形態】
【００１５】
以下に、添付図面に模式図で示した実施例に即して、本発明について更に詳細に説明して行く。
図１は、例えば分析用計量器などとして使用する、ハウジング１で囲繞された計量器の斜視図である。ハウジング１の背面側部分２の中には、計量セル及び計量用電子回路（図では見えていない）が装備されている。ハウジング１の前面側部分は、計量室３として構成されており、この計量室３は開閉可能なガラス製ドアを備えており、このガラス製ドアを開閉して、計量室３の中に計量皿４に被計量物を載置する。ハウジング１の下面は底部６によって閉塞されている。図示例の計量器は３本の脚５、５’を備えており、図１ではそれら３本の脚のうち、計量器のハウジング１の背面近傍から側方に延出している１本の脚だけが見えており、この脚は、計量器を水平にすることができるように、高さ調節可能な脚として構成されている。２本目の脚は、計量器のハウジングの背面近傍から、図１では見えていない側の、側方に延出しており、この脚もまた、計量器を水平にすることができるように、高さ調節可能な脚として構成されている。３本目の脚５’（図２参照）は、計量室３の下方に位置しており、底部６に設けられている。ハウジング１の底部６は、中空の空間であるケーブル取り回し室を画成するように形成されており、それについて以下に、図２及び図４〜図７を参照して詳細に説明する。この中空の空間は、ハウジング１の前面７に位置する２つの開口８、９を備えている。それら開口８、９は、連結用アタッチメント１０の２枚の突片１１、１２をそれら開口８、９に嵌挿することによって、連結用アタッチメント１０を係止できるようにするものである。連結用アタッチメント１０は、表示及び操作ユニット１３をそこに装着するホルダとしての機能と、表示及び操作ユニット１３をハウジング１に取付ける取付部材としての機能とを果たすものであり、それらによって、表示及び操作ユニット１３を、ハウジング１にじかに取付けることもでき、ハウジング１から離して設置することもできるようにしている。連結用アタッチメント１０の溝部３８には、接続プラグ１５を備えたケーブル１４が嵌装されており、このケーブル１４は、計量器のハウジング１に内蔵されている計量用電子回路と、表示及び操作ユニット１３とを、電気的に接続するためのものである。
【００１６】
表示及び操作ユニット１３は、ユーザの方へ傾斜した操作盤の形状に構成されており、その上面１６に、複数の操作キー１７と、１つの表示領域１８とを備えている。表示及び操作ユニット１３には、その下面側に、くさび形の台座部１９が連結されている。台座部１９のユーザから見て手前側の側辺には２つの足部４１が形成されており、また、背面側の側辺には少なくとも２箇所の支持部が形成され、台座部１９は、それら支持部及び足部４１に支持されて、作業台上に安定して載置される。更に、それら支持部及び足部４１にポリマー材料製のパッドを装着して、作業台上で表示及び操作ユニット１３が滑るのを防止する滑り止めとするとよい。
【００１７】
図２は、計量器の一部破断した側面図を示したものである。底部６の中空の空間に設けた開口８、９に、突片１１及び１２を嵌挿することで、連結用アタッチメント１０が係着されている。この図から明らかなように、表示及び操作ユニット１３は、２つの部分から構成されている。それら２つの部分のうちの台座部１９は、その断面側面形状が略々ｈ字形であって、そのｈ字形の下半分に相当する位置に、略々長方形の嵌合凹部２０が画成されており、また、作業台上に安定して載置できるように構成されている。嵌合凹部２０には、連結用アタッチメント１０の板状部２１が嵌合するようにしてあり、ただし嵌合した状態で、板状部２１の上下に十分な余裕が存在するようにしてあるため、板状部２１は嵌合凹部２０の中おいて、ある程度傾くことができる。この構成により、計量器と表示及び操作ユニット１３とを連結した状態で、両者を夫々に作業台上に固定して載置することが可能になっており、ひいては、表示及び操作ユニット１３の位置や姿勢を変化させることなく、計量器の姿勢を調節して水平にすることが可能となっている。
【００１８】
表示及び操作ユニット１３は、足部４１の上方にヒンジ３７を備えている。表示及び操作ユニット１３の上側部分は、このヒンジ３７を中心として傾動させることができ、それによって傾斜角を調節することができる。また、係止機構３９によって、調節した傾斜角に固定するようにしている。
【００１９】
ケーブル１４は、溝部３８を通って、表示及び操作ユニット１３の上側部分と下側部分との間の空間へ引き込まれており、ケーブル１４の先端に装備した接続プラグ１５が、表示及び操作ユニット１３の上側部分に装備したソケットに嵌挿されている。また、ケーブル１４は、ケーブル引出口２２（図１参照）から、ケーブル取り回し室２４として形成されている底部空間６の中へ引き込まれて、このケーブル取り回し室２４の中を延在しており、こちら側の先端は、計量器に接続するための端部である。ケーブル取り回し室２４の中にある方のこのケーブル１４の端部には、接続プラグ２３が装備されており、この接続プラグ２３を介して電子回路（不図示）に接続するようにしている。ケーブル取り回し室２４の形状は、扁平な形状として、計量器の底部空間６の高さ寸法が不必要に大きくならないようにすることが好ましい。ケーブル取り回し室２４の高さ寸法を決定する１つの要因は、ケーブル１４の太さであり、もう１つの要因は、ケーブル１４が垂直方向に屈曲しないようにするという要求条件である。
【００２０】
図３は、表示及び操作ユニット１３と、連結用アタッチメント１０との間の、連結構造に関する別の実施の形態を示した斜視図である。図３の実施の形態は、くさび形連結部材４０を使用しており、このくさび形連結部材４０は、図２を参照して上で説明した台座部１９と同様の連結の仕方で、連結用アタッチメント１０に連結されている。くさび形連結部材４０の上面には、２つの長孔形状のソケット部４２が形成されており、それらソケット部４２は、くさび形連結部材４０と、表示及び操作ユニット１３の上側部分とを、機械構造的に連結する機能と、電気的に接続する機能とを果たすものである。更に別の実施の形態として、このくさび形連結部材４０に送受信ユニット４３を装備すると共に、表示及び操作ユニットを、例えばハンドヘルド型のユニットなどとして構成し、その表示及び操作ユニットに同様に送受信ユニットを装備するようにし、そして、それら送受信ユニットを介して、くさび形連結部材４０と、表示及び操作ユニットとの間で電気信号の送受信を行うようにしてもよく、そうすれば、表示及び操作ユニットを計量器から更に遠く離すことが可能になる。
【００２１】
図４は、計量器の底部空間６に形成したケーブル取り回し室２４と、電子回路に対する接続を外したケーブル１４とを示した斜視図であり、これは上下をひっくり返して下側からから見た図である。防塵のために、計量用電子回路にアクセスするための開口３１は、蓋２５で閉塞できるようにしてある。ケーブル１４は、切欠部４４を通って、ケーブル取り回し室２４の中へ引き込まれるようにしてある。ケーブル取り回し室２４の中には、各々が独特の形状を有する３本の湾曲案内壁２６、２７、及び２８が形成されており、それら湾曲案内壁の形状は、図示例では、夫々、鉤形、Ｕ字形、及びＳ字形である。湾曲案内壁２６、２７、２８の機能は、ケーブル１４をケーブル取り回し室２４から引き出し、またケーブル取り回し室２４へ押し込む際に、そのケーブル１４がケーブル取り回し室２４内で自由に移動できるようにすることにあり、即ち、ケーブル１４のある部分と別の部分とが接触すると、その接触部位に大きな摩擦が作用して、ケーブル１４の引き出しや押し込みができなくなるおそれがあるため、そのような接触を発生させないことにある。更に、それら湾曲案内壁２６、２７、２８は、ケーブル１４の折れ曲がりを防止する機能も果たすものである。また、それら湾曲案内壁２６、２７、２８の形状及び配置は、ケーブル１４をケーブル取り回し室２４から引き出す際の引出位置に関して、大きなフレキシビリティを提供するように設計されており、即ち、ケーブル１４を、ケーブル取り回し室２４の前面の引出口２２と、背面の引出口２９と、側面の引出口３０との、どこから引き出す場合にも対応できるように設計されている。ケーブル取り回し室２４の底部に形成されている孔４５は、上皿天秤方式の計量に必要とされる、荷重伝達リンク機構を通すための孔である。
【００２２】
図５は底部空間６の斜視図であり、上下をひっくり返して下側から見た図である。図５に示したケーブル１４は、前面の引出口２２から引き出すように取り回されているが、ただしその大部分は、外へ引き出されることなくケーブル取り回し室２４の中に押し込まれている。図６も同様の斜視図であり、図６に示したケーブル１４は、前面の引出口２２から引き出すように取り回されており、しかも、その引出口２２から一杯に引き出されている。図７も同様の斜視図であり、図７に示したケーブル１４は、背面の引出口２９から引き出すように取り回されており、その引出口２９から半ば引き出された状態にある。これら３つの図からは、湾曲案内壁２６、２７、２８を設けたことによって、ケーブル取り回し室２４内でのケーブル１４の取り回しに関する、大きなフレキシビリティが得られているということが分かる。そして、その結果、ハウジング１に対する表示及び操作ユニット１３の相対的な設置位置に関する、大きな自由度が得られている。即ち、表示及び操作ユニット１３を、ハウジング１に取付けることも可能であり、また、ハウジング１の前方、側方、或いは後方の、ハウジング１から離した位置に設置することも可能になっている。特に、表示及び操作ユニット１３をハウジング１から離して設置する場合には、ケーブル１４の引出位置を、３つの引出口２２、２９、３０のうちから自由に選択することができる。また、それらいずれの場合にも、ケーブル１４は、必要な長さの分だけ、ケーブル取り回し室２４から引き出せばよい。表示及び操作ユニット１３の設置場所を変更する作業は、片手で行うことができ、その際に、表示及び操作ユニット１３をハウジング１から更に離すのであれば、ケーブル１４をケーブル取り回し室２４から更に引き出せばよく、また、逆に近付けるのであれば、ケーブル１４を引出口２２、２９、または３０へ押し込めばよく、それによって、ケーブル１４をケーブル取り回し室２４の中へ滑り込ませることができる。また、ケーブル１４の接続プラグ１５を、表示及び操作ユニット１３に挿脱する際には、ケーブル１４がフレキシビリティを有するということが、大きな利点となり、なぜならば、そのフレキシビリティのために、ケーブル取り回し室２４からケーブル１４を少し引き出すということが容易であり、それを行うことによって、ケーブル１４の取り扱いが容易になるからである。
【００２３】
また、表示及び操作ユニット１３の設置位置に関する、大きなフレキシビリティが得られていることによる特に大きな利点の１つに、表示及び操作ユニット１３の取外しや交換がいつでもできるということがあり、表示及び操作ユニット１３を取外すには、ケーブル１４の接続プラグ１５を抜脱するだけでよい。また、このように取外しが容易であることから、表示及び操作ユニット１３を設置している作業台上の清掃も容易である。
【００２４】
ケーブル取り回し室２４の下側は、図８に示した底板３２で閉塞するようにしている。この底板３２は、その４つのネジ挿通孔３３に挿通した４本のネジを、ケーブル取り回し室２４内に形成されている４つのネジ穴付きのボス部３４（図４〜図７参照）に螺着することによって取付けられる。また、この底板３２には、そのケーブル取り回し室側の側面に、２つの係止バネ部３５が形成されている。それら係止バネ部３５は、連結用アタッチメント１０の２枚の突片１１、１２の各々に形成されている凹部３６（図１または図３参照）に嵌合することによって、連結用アタッチメント１０を保持するものである。これによって、連結用アタッチメント１０がしっかりと保持されるため、例えば、スイス特許公報CH-1958/00に記載されているようなハンドルなどを使用して計量器持ち上げる際に、その計量器を、連結用アタッチメント１０に取付けた表示及び操作ユニット１３ごと持ち上げることができる。また、表示及び操作ユニット１３に連結用アタッチメント１０を連結した状態で、それら２つを別の場所に移動させるということも可能である。更に、この計量器の取り扱い方のもう１つの例として、ユーザが、連結用アタッチメント１０を計量器のハウジング１に連結したままにして、表示及び操作ユニット１３だけを、離れた位置へ移動させることもある。
【００２５】
連結用アタッチメント１０の板状部２１は、情報掲示部としても利用することができ、その場合には、例えば、使用法についての簡単な説明や、所定の常用の計測操作を実行する際の注意事項などを、印刷などの方法を用いて、板状部２１に記しておくようにすればよい。また、板状部２１に印刷するのではなく、板状部２１に折畳式のリーフレットを取付けることによっても、この板状部２１を情報掲示部として利用することができる。計量器のユーザは、その情報を参照するためには、単に、表示及び操作ユニット１３を連結用アタッチメント１０から持ち上げるだけでよい。
【００２６】
また、ケーブル取り回し室２４内に２本以上のケーブル１４を装備して、それらケーブル１４を夫々に異なった引出口２２、２９、３０から引き出すように取り回しておくのもよい。それら複数のケーブル１４は、それらのうちの１本だけを選択して使用するようにしてもよく、或いは、それらケーブル１４を使用して、２つの表示及び操作ユニット１３ないしくさび形連結部材４０を、同時に計量器に接続しておくようにしてもよい。また更に、それら複数のケーブル１４のうちの１本を、コンピュータにじかに接続しておくようにしてもよい。
【図面の簡単な説明】
【００２７】
【図１】表示及び操作ユニットを取外した状態にある計量器の斜視図である。
【図２】計量器の一部破断した側面図である。
【図３】連結用アタッチメントを介して表示及び操作ユニットを計量器に連結するための別の連結構造を示した図である。
【図４】計量器の底部空間に形成したケーブル取り回し室の斜視図であり、ケーブルが電子回路との接続を外した状態を示した図である。
【図５】計量器の底部空間に形成したケーブル取り回し室の斜視図であり、ケーブルが前面の引出口へ取り回された状態を示した図である。
【図６】計量器の底部空間に形成したケーブル取り回し室の斜視図であり、ケーブルが前面の引出口から引き出された状態を示した図である。
【図７】計量器の底部空間に形成したケーブル取り回し室の斜視図であり、ケーブルが背面の引出口へ取り回された状態を示した図である。
【図８】ケーブル取り回し室を閉塞する底板を示した図である。
【符号の説明】
【００２８】
１    ハウジング、計量器のハウジング
２    ハウジングの背面側布分
３    計量室
４    計量皿
５、５’  脚部
６    底部、底部空間
７    前面
８    開口
９    開口
１０  連結用アタッチメント
１１  突片
１２  突片
１３  表示及び操作ユニット
１４  ケーブル
１５  接続プラグ
１６  上面
１７  操作キー
１８  表示領域
１９  台座部
２０  嵌合凹部
２１  板状部
２２  前面の引出口
２３  接続プラグ
２４  ケーブル取り回し室
２５  蓋
２６  湾曲案内壁、鉤形
２７  湾曲案内壁、Ｕ字形
２８  三極案内壁、Ｓ字形
２９  背面の引出口
３０  側面の引出口
３１  電子回路にアクセスするための開口
３２  底板
３３  ネジ挿通孔
３４  ネジ穴付きボス部
３５  係止バネ部
３６  凹部
３７  ヒンジ
３８  溝部
３９  係止機構
４０  くさび形連結部材
４１  表示及び操作ユニットの足部
４２  長孔形状のソケット部
４３  送受信ユニット
４４  切欠部
４５、４５’  孔
【国際公開パンフレット】
2004526158.tif 000003
2004526158.tif 000004
2004526158.tif 000005
2004526158.tif 000006
2004526158.tif 000007
2004526158.tif 000008
2004526158.tif 000009
2004526158.tif 000010
2004526158.tif 000011
2004526158.tif 000012
2004526158.tif 000013
2004526158.tif 000014
2004526158.tif 000015
2004526158.tif 000016
2004526158.tif 000017
2004526158.tif 000018
2004526158.tif 000019
2004526158.tif 000020
2004526158.tif 000021
2004526158.tif 000022
2004526158.tif 000023
2004526158.tif 000024
【国際調査報告】
2004526158.tif 000025
2004526158.tif 000026
2004526158.tif 000027
2004526158.tif 000028
2004526158.tif 000029
2004526158.tif 000030